(57)【要約】【課題】  カバー部材開閉装置において、カバー部材を閉じる際、大きな衝撃音が発生することを防止するとともに、ユーザが手を挟まれることを防止する。【解決手段】  中継装置本体２００は、外装カバー（支持部材）２３でカバー部材２４を開閉自在に支持し、カバー部材をトーションスプリングの付勢力に抗して開いて中継装置本体の内部を開放する。その中継装置において、カバー部材は係合部材２８を備える。また、外装カバーに、係合部材が係合するガイド溝（ガイド部）２５を備え、そのガイド溝に、カバー部材を開くとき係合部材が通る往路２５ａと、カバー部材を閉じるとき係合部材が通る復路２５ｂとを形成する。さらに、係合部材が復路を通るときその係合部材に接触してカバー部材の閉動作に抵抗を付与するラック（抵抗付与部材）２６を外装カバーで支持して備える。【選択図】        図２
2005091997.tif 000002
【特許請求の範囲】
【請求項１】
機器本体に設ける支持部材でカバー部材を開閉自在に支持し、そのカバー部材を付勢力に抗して開いて前記機器本体の内部を開放するカバー部材開閉装置において、
前記カバー部材に係合部材を備える一方、
前記支持部材に、または前記支持部材に取り付ける板材に、前記係合部材が係合するガイド部を備え、そのガイド部に、前記カバー部材を開くとき前記係合部材が通る往路と、前記カバー部材を閉じるとき前記係合部材が通る復路とを形成するとともに、
前記係合部材が前記復路を通るときその係合部材に接触して前記カバー部材の閉動作に抵抗を付与する抵抗付与部材を前記支持部材、または前記支持部材に取り付ける板材で支持して備えることを特徴とする、カバー部材開閉装置。
【請求項２】
前記カバー部材に、リンク機構を介して移動自在に前記係合部材を備えることを特徴とする、請求項１に記載のカバー部材開閉装置。
【請求項３】
前記往路と前記復路との間に前記係合部材の逆行を阻止する逆行防止部材を備えることを特徴とする、請求項１または２に記載のカバー部材開閉装置。
【請求項４】
前記係合部材にギヤを設け、そのギヤが噛み合うラックを前記抵抗付与部材として備えることを特徴とする、請求項１ないし３のいずれか１に記載のカバー部材開閉装置。
【請求項５】
前記板材を前記支持部材に対して回動可能に設けて、前記カバー部材を開いたときの開放角度を変更可能とすることを特徴とする、請求項１ないし４のいずれか１に記載のカバー部材開閉装置。
【請求項６】
前記機器本体である画像形成装置本体に、請求項１ないし５のいずれか１に記載のカバー部材開閉装置を備えることを特徴とする、画像形成装置。
【請求項７】
前記機器本体が、画像形成装置本体に外付けして設ける後処理装置本体であり、その後処理装置本体に、請求項１ないし５のいずれか１に記載のカバー部材開閉装置を備えることを特徴とする、後処理装置。
【請求項８】
前記機器本体が、画像形成装置本体とそれに外付けして設ける後処理装置本体との間に設ける中継装置本体であり、その中継装置本体に、請求項１ないし５のいずれか１に記載のカバー部材開閉装置を備えることを特徴とする、中継装置。
【発明の詳細な説明】
【技術分野】
【０００１】
この発明は、例えば、複写機、プリンタ、ファクシミリ、またはそれらの複合機などの、用紙・ＯＨＰフィルム等のシート材に画像を形成する画像形成装置に関する。および、そのような画像形成装置に外付けして設け、画像形成済みのシート材に、ステイプル加工やパンチ孔明け加工などを施したり、仕分けたりする後処理装置に関する。および、画像形成装置と、それに外付けして設ける後処理装置との間に設ける中継装置に関する。および、それら画像形成装置や後処理装置や中継装置に備えるカバー部材開閉装置に関する。
【背景技術】
【０００２】
図１０および図１１に、従来の画像形成装置を示す。
図１０に示すように、例えば箱状の画像形成装置本体（支持部材）７の側板７ａには、軸１ａを中心に回動自在な回動部材１を設ける。その回動部材１の図中左側にはピン１ｂを、図中右側にはピン１ｃをそれぞれ設ける。
【０００３】
回動部材１のピン１ｃには、スプリング２の一端を掛け止める。スプリング２の他端は、固定ブラケット３に掛け止める。
【０００４】
一方、回動部材１のピン１ｂは、レバー部材４の一端の長穴４ａ内に挿入する。そのレバー部材４の他端には、ピン４ｂを設ける
【０００５】
そのピン４ｂは、カバー部材５に設けた突部５ａの穴内に挿入する。また、そのカバー部材５を、軸５ｃを中心に、画像形成装置本体７で開閉自在に支持する。
【０００６】
そして、図１０に示すように閉状態としたカバー部材５を、ユーザが、軸５ｃを中心に回動してゆくと、カバー部材５の回動に伴い、レバー部材４が図中左斜め下方向に移動する。その移動に伴い、レバー部材４の長穴４ａ内をピン１ｂが移動する。やがて、ピン１ｂが長穴４ａの端に突き当って後、ユーザが、スプリング２の付勢力に抗してカバー部材５を開くと、回動部材１が軸１ａを中心に反時計まわりに回動して、カバー部材５が完全に開き、画像形成装置本体７の内部を開放して図１１に示す状態となる。
【０００７】
図１１に示す状態としたカバー部材５から、ユーザが手を離すと、スプリング２の付勢力により、回動部材１が軸１ａを中心に時計まわりに回動する。それにより、回動部材１のピン１ｂも軸１ａを中心に時計まわりに回動して、レバー部材４を介して、カバー部材５を軸５ｃを中心に反時計まわりに回動して、カバー部材５を閉じる。
【特許文献１】特開２００１−２７８５２５号公報（第６頁、第７図および第８図）
【特許文献２】実開平６−７３００５号公報
【発明の開示】
【発明が解決しようとする課題】
【０００８】
しかし、このような画像形成装置のカバー部材開閉装置では、開いたカバー部材５は、スプリング２の付勢力によって閉じるので、カバー部材５が不図示のストッパ部材に勢い良くぶつかって大きな衝撃音が発生する問題があった。また、ユーザがカバー部材５から手を離すと、スプリング２の付勢力によってカバー部材５は閉じるので、そのカバー部材５にユーザが手を挟まれる問題があった。
【０００９】
そこで、この発明の第１の目的は、カバー部材開閉装置において、カバー部材を閉じる際、大きな衝撃音が発生することを防止するとともに、ユーザが手を挟まれることを防止することにある。
【００１０】
この発明の第２の目的は、カバー部材開閉装置において、カバー部材が破損することを防止することにある。
【００１１】
この発明の第３の目的は、第１または第２の目的を達成したカバー部材開閉装置を備える画像形成装置を提供することにある。
【００１２】
この発明の第４の目的は、第１または第２の目的を達成したカバー部材開閉装置を備える後処理装置を提供することにある。
【００１３】
この発明の第５の目的は、第１または第２の目的を達成したカバー部材開閉装置を備える中継装置を提供することにある。
【課題を解決するための手段】
【００１４】
そのため、請求項１に記載の発明は、上述した第１の目的を達成すべく、
機器本体に設ける支持部材でカバー部材を開閉自在に支持し、そのカバー部材を付勢力に抗して開いて機器本体の内部を開放するカバー部材開閉装置において、
カバー部材に係合部材を備える一方、
支持部材に、または支持部材に取り付ける板材に、係合部材が係合するガイド部を備え、そのガイド部に、カバー部材を開くとき係合部材が通る往路と、カバー部材を閉じるとき係合部材が通る復路とを形成するとともに、
係合部材が復路を通るときその係合部材に接触してカバー部材の閉動作に抵抗を付与する抵抗付与部材を支持部材、または支持部材に取り付ける板材で支持して備えることを特徴とする。
【００１５】
請求項２に記載の発明は、上述した第１の目的も達成すべく、
請求項１に記載のカバー部材開閉装置において、
カバー部材に、リンク機構を介して移動自在に係合部材を備えることを特徴とする。
【００１６】
請求項３に記載の発明は、上述した第１の目的も達成すべく、
請求項１または２に記載のカバー部材開閉装置において、
往路と復路との間に係合部材の逆行を阻止する逆行防止部材を、備えることを特徴とする。
【００１７】
請求項４に記載の発明は、上述した第１の目的も達成すべく、
請求項１ないし３のいずれか１に記載のカバー部材開閉装置において、
係合部材にギヤを設け、そのギヤが噛み合うラックを抵抗付与部材として備えることを特徴とする。
【００１８】
請求項５に記載の発明は、上述した第２の目的も達成すべく、
請求項１ないし４のいずれか１に記載のカバー部材開閉装置において、
板材を支持部材に対して回動可能に設けて、カバー部材を開いたときの開放角度を変更可能とすることを特徴とする。
【００１９】
請求項６に記載の発明は、上述した第３の目的も達成すべく、
画像形成装置において、
機器本体である画像形成装置本体に、請求項１ないし５のいずれか１に記載のカバー部材開閉装置を備えることを特徴とする。
【００２０】
請求項７に記載の発明は、上述した第４の目的も達成すべく、
後処理装置において、
機器本体が、画像形成装置本体に外付けして設ける後処理装置本体であり、その後処理装置本体に、請求項１ないし５のいずれか１に記載のカバー部材開閉装置を備えることを特徴とする。
【００２１】
請求項８に記載の発明は、上述した第５の目的も達成すべく、
中継装置において、
機器本体が、画像形成装置本体とそれに外付けして設ける後処理装置本体との間に設ける中継装置本体であり、その中継装置本体に、請求項１ないし５のいずれか１に記載のカバー部材開閉装置を備えることを特徴とする。
【発明の効果】
【００２２】
請求項１から請求項４に係る発明によれば、カバー部材開閉装置にあって、ガイド部に、カバー部材を閉じるとき係合部材が通る復路を形成するとともに、係合部材が復路を通るときその係合部材に接触してカバー部材の閉動作に抵抗を付与する抵抗付与部材を支持部材、または支持部材に取り付ける板材で支持して備えるので、抵抗付与部材で、閉じるカバー部材に抵抗を与えて、閉じるカバー部材のスピードを遅くするから、大きな衝撃音が発生することを防止できるとともに、ユーザが手を挟まれることを防止することができる。
【００２３】
請求項５に係る発明によれば、カバー部材開閉装置にあって、板材を支持部材に対して回動可能に設けて、カバー部材を開いたときの開放角度を変更可能とするので、例えば機器本体の近傍に障害物がある場合などにおいて、カバー部材の開放角度を規制でき、カバー部材が障害物に当たって破損することを防止することができる。
【００２４】
請求項６に係る発明によれば、機器本体である画像形成装置本体に、請求項１ないし５のいずれか１に記載のカバー部材開閉装置を備えるので、請求項１から５に記載した効果を有する画像形成装置を提供することができる。
【００２５】
請求項７に係る発明によれば、機器本体が、画像形成装置本体に外付けして設ける後処理装置本体であり、その後処理装置本体に、請求項１ないし５のいずれか１に記載のカバー部材開閉装置を備えるので、請求項１から５に記載した効果を有する後処理装置を提供することができる。
【００２６】
請求項８に係る発明によれば、機器本体が、画像形成装置本体とそれに外付けして設ける後処理装置本体との間に設ける中継装置本体であり、その中継装置本体に、請求項１ないし５のいずれか１に記載のカバー部材開閉装置を備えるので、請求項１から５に記載した効果を有する中継装置を提供することができる。
【発明を実施するための最良の形態】
【００２７】
以下、図面を参照しつつ、この発明の実施の最良形態について説明する。
図１には、この発明による画像形成装置本体１００、画像形成装置本体１００に外付けして設ける後処理装置本体３００、および画像形成装置本体１００とそれに外付けして設ける後処理装置本体３００との間に設ける中継装置本体２００を示す。この例では、中継装置本体２００をこの発明でいう機器本体とし、その機器本体にカバー部材開閉装置を備える。
【００２８】
画像形成装置本体１００内には、不図示の作像装置などを備え、その作像装置などによりシート材に画像を形成する。また、画像形成装置本体１００は、シート材を排出する一対の排出ローラ１１を備える。
【００２９】
中継装置本体２００内には、上ガイド板２０や下ガイド板２１などを設ける。そして、それら上ガイド板２０や下ガイド板２１で、シート搬送路Ｎを形成する。このような中継装置は、画像形成装置の排出位置１２や後処理装置の受入位置４０などにレイアウト変更することなしに、画像形成済みのシート材を画像形成装置本体１００から後処理装置本体３００へ受け渡すものである。
【００３０】
後処理装置本体３００は、内部に略垂直に形成するシート搬送路Ｒを備える。そのシート搬送路Ｒの先端には、略垂直から略水平にカーブしてシート材の搬送方向を変える排出路Ｒ１を形成する。
【００３１】
そのようなシート搬送路Ｒの途中には、シート材を搬送する例えば２組のシート搬送ローラ４１と３つの分岐爪４２を設ける。そして、それら分岐爪４２位置で、シート搬送路Ｒから分岐する排出路Ｒ２、Ｒ３、Ｒ４を、上述した排出路Ｒ１と同様、カーブしてそれぞれ形成する。それらの排出路Ｒ１、Ｒ２、Ｒ３、Ｒ４の途中には、一対の排出ローラ４３をそれぞれ設ける。
【００３２】
また、この後処理装置は、排出ローラ４３によって排出するシート材を載置する排出トレイ４４を、例えば４つ、上下方向に多段に備える。それらの排出トレイ４４は、それぞれ、後処理装置本体３００内から突出し、先端側がやや上となるように傾斜して、基端側を後処理装置本体３００に取り付ける。
【００３３】
上述した分岐爪４２は、回動軸４２ａを中心に回動自在に後処理装置本体３００に設ける。また、分岐爪４２には、それぞれレバー４２ｂの一端を固定して取り付ける。一方、レバー４２ｂの他端には、アーム４２ｃを介して、ソレノイド４６の作動棒４６ａを取り付ける。なお、レバー４２ｂの他端には、不図示のスプリングを設けて、常時、分岐爪４２を、回動軸４２ａを中心に時計まわりの方向に付勢して、分岐爪４２をホームポジション位置としている。
【００３４】
さて、このような画像形成装置や中継装置や後処理装置を用いて、シート材を、例えば後処理装置本体３００の一番下側の排出トレイ４４上に排出する場合を説明する。
【００３５】
先ず、画像形成装置本体１００におけるシート材の排出のタイミングに合わせて、一番上側の分岐爪４２と上から二番目の分岐爪４２は回動せず、ホームポジショ位置としたままとし、一番下側の分岐爪４２のみを回動して作動位置とする。
【００３６】
すなわち、一番上側の分岐爪４２と上から二番目の分岐爪４２のソレノイド４６はそれぞれオフしたままとして、図中に示すようにホームポジション位置とし、一番下側の分岐爪４２のソレノイド４６のみをオンし、ソレノイド４６本体から作動棒４６ａを突出して、アーム４２ｃを押し上げて図中上側に移動し、それにより、レバー４２ｂと分岐爪４２とを回動軸４２ａを中心に、反時計まわりに回動して図中に示すように作動位置とする。
【００３７】
次に、画像形成装置本体１００内で、不図示の作像装置などにより、シート材に画像を形成して後、画像形成済みのシート材を排出ローラ１１で排出する。排出後のシート材は、画像形成装置本体１００の排出位置１２を通過して、中継装置本体２００内に入る。
【００３８】
中継装置本体２００内に入ったシート材は、その後、上カイド板２０と下ガイド板２１とで案内されて、中継装置本体２００の排出位置２２を通過してから、後処理装置本体３００内に入る。
【００３９】
後処理装置本体３００内に入り、受入位置４０を通過したシート材は、その後、シート搬送ローラ４１でシート搬送路Ｒを搬送する。そして、シート材の先端が分岐爪４２に突き当たると、シート材は、シート搬送路Ｒから排出路Ｒ４に入って後、排出ローラ４３で一番下側の排出トレイ４４上に排出される。
【００４０】
なお、シート材を仕分ける場合、画像形成装置におけるシート材の排出のタイミングに合わせて、後処理装置本体３００内の３つのソレノイド４６を適宜オン・オフして分岐爪４２を回動し、それぞれの排出トレイ４４上に所要の枚数のシート材を排出する。
【００４１】
さて、そのような中継装置本体２００において、図２には中継装置本体２００の内部を、図３には外装カバー（支持部材）２３を、図４にはカバー部材２４をそれぞれ示して、中継装置本体２００内のカバー部材開閉装置を説明する。
【００４２】
略箱形状の外装カバー２３の上部には、図３に示すように、適宜の間隔でリブ２３ａを設けて補強する。それらのリブ２３ａの下には、図１および図２に示す上ガイド板２０を設ける。
【００４３】
そのような外装カバー２３の両側において、例えば図２に示す画像形成装置本体１００近傍には、後述する係合部材２８が係合する、図３に示すガイド溝（ガイド部）２５を備える。このガイド溝２５は、円弧状の往路２５ａと直線状の復路２５ｂとで形成する。その往路２５ａの上部は、幅を広げて、ガイド溝２５の内側に斜面Ａを形成する。
【００４４】
さらに、外装カバー２３の両側には、復路２５ｂに沿うラック（抵抗付与部材）２６を、ブラケットＢにより支持して備える。そのラック２６の歯の表面は粗面とし、このラック２６は、後述するギヤ２８ａと噛み合う。また、外装カバー２３の両側には、対向するように穴２３ｂを形成する。
【００４５】
さらに、外装カバー２３の両側には、往路２５ａと復路２５ｂとの間、すなわち往路２５ａと復路２５ｂとが交わる位置に、第１の逆行防止部材（逆行防止部材）３０を設ける。この第１の逆行防止部材３０は、不図示の付勢部材を備えて、第１の逆行防止部材３０を、常時、下方向に付勢する。
【００４６】
また、外装カバー２３の両側には、復路２５ｂと往路２５ａとの間、すなわち復路２５ｂの上部に、図３および図５に示すように、Ｌ字状をし、軸３１ａを中心に回動自在な第２の逆行防止部材（逆行防止部材）３１を設ける。この第２の逆行防止部材３１は、不図示の錘を取り付けることにより、図示する位置をホームポジションとする。
【００４７】
カバー部材２４は、図４に示すように、枠状のフレーム２４ａ、そのフレーム２４ａ内に適宜の間隔で設ける縦リブ２４ｂおよび横リブ２４ｃ、それら縦リブ２４ｂ・横リブ２４ｃの上に設ける下ガイド板２１、フレーム２４ａの両側に外向きに設ける一対の支持軸２４ｄ、それらの支持軸２４ｄに設けるレバー部材２４ｅ、図２に示す化粧カバー２４ｆなどで構成する。
【００４８】
そのような図４に示すカバー部材２４のフレーム２４ａの両側面には、例えばピンＣでリンク部材２７ａの一端を回動自在に支持し、そのリンク部材２７ｂの他端のピンＤでリンク部材２７ｂを回動自在に支持するリンク機構２７をそれぞれ設ける。
【００４９】
そのようなリンク機構２７のリンク部材２７ｂの先端には、ギヤ２８ａと突部Ｅとを設ける係合部材２８を取り付ける。そして、カバー部材２４に、リンク機構２７を介して移動自在に係合部材２８備えるようにする。なお、ギヤ２８ａの歯の表面は粗面とする。
【００５０】
また、カバー部材２４の両側の支持軸２４ｄには、トーションスプリング２９をそれぞれ巻き付ける。そのトーションスプリング２９の一端は、カバー部材２４のフレーム２４ａに固定する。
【００５１】
そして、このようなカバー部材２４の支持軸２４ｄを、図３に示す外装カバー２３の穴２３ｂに挿入して、外装カバー２３にカバー部材２４を取り付け、外装カバー２３でカバー部材２４を開閉自在に支持する。
【００５２】
この取付の際、トーションスプリング２９の他端を外装カバー２３に固定することで、トーションスプリング２９の付勢力によって、常時、カバー部材２４を閉じる方向に付勢する。また、その取付の際には、係合部材２８の突部Ｅをガイド溝２５に入れて、係合部材２８をガイド溝２５に係合する。
【００５３】
さて、このような中継装置本体２００内の図２に示すシート搬送路Ｎで、シート材がジャムし、そのジャムしたシート材を取り除く場合を説明する。先ず、カバー部材２４の化粧カバー２４ｆに形成した摘み部２４ｇを、ユーザが摘まんで後、図４に示すトーションスプリング２９の付勢力に抗して、図２中矢印で示す方向にカバー部材２４を回動する。
【００５４】
すると、その回動に伴い、図４に示すリンク機構２７のリンク部材２７ａは下方向に移動し、レバー部材２４ｅはカバー部材２４とともに回動する。
【００５５】
これにより、係合部材２８の突部Ｅを支えていたレバー部材２４ｅが回動するため、係合部材２８は重力の作用により、下方向に往路２５ａを移動する。
【００５６】
この移動の際、仮に、係合部材２８が復路２５ｂ方向へ移動しようとすると、図３に示す第２の逆行防止部材３１に突き当たる。しかし、第２の逆行防止部材３１は、ブラケットＢに突き当たり、軸３１ａを中心に図中反時計まわりに回動できないため、係合部材２８は復路２５ｂに入ることができず、図５に示すように往路２５ａ内に入る。このように、中継装置本体２００は、往路２５ａと復路２５ｂとの間に、例えばブラケットＢなどの突当部材によって、係合部材２８の逆行を阻止する第１の逆行防止部材３０を備える。
【００５７】
その後、係合部材２８は往路２５ａを通る。やがて、係合部材２８が往路２５ａ内の下部にまで到達すると、図６に示すように、係合部材２８が第１の逆行防止部材３０に接触する。そして、ユーザによるカバー部材２４を回動する力により、不図示の付勢部材の付勢力に抗して第１の逆行防止部材３０が上方向に移動して、係合部材２８は、さらに往路２５ａ内を進み、図７に示すように、復路２５ｂ内に入る。
【００５８】
すると、第１の逆行防止部材３０は不図示の付勢部材の付勢力により、下方向に移動して、係合部材２８が往路２５ａを逆行することを防止する。このように、中継装置本体２００は、往路２５ａと復路２５ｂとの間に、例えば付勢部材などによって、係合部材２８の逆行を阻止する第２の逆行防止部材３１を備える。
【００５９】
一方、ユーザによるカバー部材２４の回動は、係合部材２８が図７中実線で示す位置となり、リンク機構２７が一直線状となると、カバー部材２４の回動が規制され、カバー部材２４が開ききった状態となる。
【００６０】
このようにして、カバー部材２４を開いて、中継装置本体２００の内部を開放してから、シート搬送路Ｎでジャムしたシート材を取り除く。そして、この後、ユーザがカバー部材２４から手を離すと、カバー部材２４は、図４に示すトーションスプリング２９の付勢力により、図２に示す矢印と反対方向に回動する。
【００６１】
その回動に伴って、レバー部材２４ｅも回動し、突部Ｅを設ける係合部材２８を下から上へ持ち上げる。これにより、係合部材２８に設けたギヤ２８ａがラック２６と噛み合いながら係合部材２８は復路２５ｂ内を通る。このとき、ギヤ２８ａとラック２６との歯の表面を粗面としているため、閉じるカバー部材２４に抵抗を与えて、カバー部材２４のスピードを遅くするから、大きな衝撃音が発生することを防止できるとともに、ユーザが手を挟まれることを防止することができる。
【００６２】
すなわち、この中継装置本体２００内には、係合部材２８が復路２５ｂを通るとき、その係合部材２８に接触してカバー部材２４の閉動作に抵抗を付与するラック２６を、外装カバー２３で支持して備えるカバー部材開閉装置を有するので、上述に記載した効果を得ることができる。
【００６３】
また、リンク機構２７により、係合部材２７が、異なる２つの経路（往路２５ａと復路２５ｂ）を形成するガイド部２５が通ることができる。
【００６４】
さて、その後、係合部材２８が復路２５ｂの上部にまで達すると、係合部材２８が第１の逆行防止部材３０に接触する。すると、第１の逆行防止部材３０は、図８に示すように、軸３１ａを中心に反時計まわりに回動して、図示する状態となる。
【００６５】
その後、係合部材２８は、斜面Ａに沿って移動するので、ラック２６からギヤ２８ａが外れて、係合部材２８は往路２５ａ内に入る一方、第１の逆行防止部材３０は不図示の錘によりホームポジション位置となり、カバー部材２４は閉じる。
【００６６】
さて、図２ないし図８を用いて説明した中継装置本体２００内のカバー部材開閉装置において、カバー部材２４を開いたときの開放角度は、リンク機構２７のリンク部材２７ａ・２７ｂの長さと、ガイド部２５の位置によって決定される。
【００６７】
そこで、カバー部材２４を開いたときの開放角度を変更可能とする、この発明による別のカバー部材開閉装置を備える中継装置を図９に示す。なお、図９に示すものにおいて、前述で説明したものと同様のものには、同一の符号を付して説明を省略する。
【００６８】
図示する中継装置装置本体２００は、回動軸３３ａとピン３３ｂとで、外装カバー２３に取り付ける板材３３を備える。また、外装カバー２３には、ピン３３ｂと係合する不図示の穴を円弧状に複数、形成する。
【００６９】
板材３３は、前述したガイド溝２５を備える。また、前述したラック２６を、板材３３で支持して備える。
【００７０】
このような中継装置において、カバー部材２４を開いたときの開放角度を変えるには、外装カバー２３からピン３３ｂを外してから、板材３３を回動軸３３ａを中心に回動して後、外装カバー２３に形成した別の穴に掛け止める。
【００７１】
よって、この中継装置は、板材３３を外装カバー２３に対して回動可能に設けて、カバー部材２４を開いたときの開放角度を変更可能とする。
【００７２】
なお、図示例の中継装置では、シート搬送ローラを備えないもので説明したが、図２または図９に示す中継装置本体２００内に形成するシート搬送路Ｎの長さが、中継装置本体２００を通過する最小シート材の長さよりも長い場合、シート材を搬送するシート搬送ローラやシート搬送ベルトを設けても良い。
【００７３】
また、上述した例では、中継装置本体２００がカバー部材開閉装置を備える例で説明したが、この発明はそれに限られず、画像形成装置本体１００でカバー部材を開閉自在に支持し、そのカバー部材を付勢力に抗して開いて画像形成装置本体１００の内部を開放するものに適用しても同様の効果を得ることができるし、後処理装置本体３００でカバー部材を開閉自在に支持し、そのカバー部材を付勢力に抗して開いて後処理装置本体３００の内部を開放するものに適用しても同様の効果を得ることができる。
【図面の簡単な説明】
【００７４】
【図１】この発明によるカバー部材開閉装置を備える機器である中継装置、画像形成装置、および後処理装置の全体構成図である。
【図２】その中継装置の内部の説明図である。
【図３】その中継装置に設ける外装カバーの斜視図である。
【図４】その中継装置が備えるガイド部材の斜視図である。
【図５】そのカバー部材を開閉するときの説明図である。
【図６】同様の図である。
【図７】同様の図である。
【図８】同様の図である。
【図９】この発明による別の中継装置の内部の説明図である。
【図１０】従来の画像形成装置が備えるカバー部材開閉装置の説明図である。
【図１１】同様の図である。
【符号の説明】
【００７５】
２３    外装カバー（支持部材）
２４    カバー部材
２５    ガイド溝（ガイド部）
２５ａ  往路
２５ｂ  復路
２６    ラック（抵抗付与部材）
２７    リンク機構
２８    係合部材
２８ａ  ギヤ
３０    第１の逆行防止部材（逆行防止部材）
３１    第２の逆行防止部材（逆行防止部材）
３３    板材
１００  画像形成装置本体
２００  中継装置本体
３００  後処理装置本体
【図１】
2005091997.tif 000003
【図２】
2005091997.tif 000004
【図３】
2005091997.tif 000005
【図４】
2005091997.tif 000006
【図５】
2005091997.tif 000007
【図６】
2005091997.tif 000008
【図７】
2005091997.tif 000009
【図８】
2005091997.tif 000010
【図９】
2005091997.tif 000011
【図１０】
2005091997.tif 000012
【図１１】
2005091997.tif 000013